(57)【特許請求の範囲】
【請求項１】
ほぼ長方形状をなす底壁と互いに対向する一対の側壁と相互に対向する一対の端壁と頂壁とによりほぼ直方体形状に形成され、前記側壁の延在方向に同形状の複数の物品を整列収納可能な複数の収納部からなる収納空間が形成されている包装用容器であって、
該収納部に収納する前記物品と同寸法とされた収納部の側壁の両端部から前記底壁および前記頂壁の少なくとも一方にかけて相互に前記物品と同寸法で平行に形成された２本の切断線と前記２本の切断線の端部間に形成された折曲線とにより囲まれた領域からなり、各壁の一部をなす位置と該収納部内に突出する位置とをそれぞれとりうるように折曲可能に形成され、該収納部内に突出して隣接する収納部内の物品の移動を拘束する１つ以上の仕切部材が形成されていることを特徴とする包装用容器。
【請求項２】
前記２本の切断線間に形成された折曲線が前記側壁と前記底壁または頂壁との間の折曲線を兼ねていることを特徴とする請求項１に記載の包装用容器。
【請求項３】
複数の収納部からなる収納空間がそれぞれ複数列にわたって形成されており、これらのうちの少なくとも１列の収納空間に前記仕切部材が形成されていることを特徴とする請求項１または請求項２に記載の包装用容器。
【請求項４】
前記各収納部には、収納された物品の有無を確認するための開放窓が形成されていることを特徴とする請求項１乃至請求項３のいずれか１項に記載の包装用容器。
【発明の詳細な説明】
【０００１】
【発明の属する技術分野】
本発明は包装用容器に係り、特に、同形状とされた複数個の物品の包装に好適な包装用容器に関する。
【０００２】
【従来の技術】
プリンタのインクリボン等の消耗品は、個人的ユーザにおいては、交換用として少数個ずつ必要に応じて買い求めるのが常であり、近年では、配送サービスを利用することで、個人的ユーザがわざわざ店頭にまで足を運ぶことなく、必要な交換用の製品を入手することが可能となっている。
【０００３】
【発明が解決しようとする課題】
しかしながら、そのようにして買い求められる製品を配送する際は、例えば交換用のインクリボンカセットのように小箱に個別包装されている製品であっても、それをそのまま配送ルートに載せるには小さすぎ、また、包装中の衝撃等から製品を保護するためには十分でない。また、同一箇所に複数個の製品を包装する場合には、１つ１つを個別に配送するよりも一括して包装してから配送する方が配送コストは安くなる。
【０００４】
その際には、包装用容器を用意し、その中に物品たる製品を収納した後に、前記包装用容器の空間部分に、エアキャップ等の緩衝材を装填したり、仕切部材を配設したりして包装用容器内の製品を移動しないように保持する作業が不可欠となっていた。
【０００５】
一方、前述した作業を省略して製品を移動しないように収納するために、収納する物品の数に応じて異なる大きさの包装用容器を用意すると、包装用容器の製造コストが高価になるばかりでなく、包装用容器の保管スペースや在庫管理等が煩雑であった。
【０００６】
本発明は前記した点に鑑みなされたもので、同形状の物品を１個から複数個までの数に応じた収納を１つの包装用容器で可能とし、しかも、緩衝材や仕切部材を別途必要としないで物品を移動しないように保持できる包装用容器を提供することを目的とするものである。
【０００７】
【課題を解決するための手段】
前述した目的を達成するため本発明に係る包装用容器の特徴は、該収納部に収納する前記物品と同寸法とされた収納部の側壁の両端部から前記底壁および前記頂壁の少なくとも一方にかけて相互に前記物品と同寸法で平行に形成された２本の切断線と前記２本の切断線の端部間に形成された折曲線とにより囲まれた領域からなり、各壁の一部をなす位置と該収納部内に突出する位置とをそれぞれとりうるように折曲可能に形成され、該収納部内に突出して隣接する収納部内の物品の移動を拘束する１つ以上の仕切部材が形成されている点にある。
【０００８】
このような構成を採用したことにより、前記２本の切断線に挟まれた部分を前記折曲線をもって折曲することで、仕切部材を前記収納部内に突出させ、包装用容器の収納空間を仕切ることができ、隣接する収納部内に収納した物品の移動を拘束することができる。
【００１１】
請求項２に記載の包装用容器の特徴は、請求項１に記載の包装用容器であって、前記２本の切断線間に形成された折曲線が前記側壁と前記底壁または頂壁との間の折曲線を兼ねている点にある。
【００１２】
このような構成を採用したことにより、より確実かつ容易に仕切部材を収納部内に突出させることができる。
【００１３】
請求項３に記載の包装用容器の特徴は、請求項１または請求項２に記載の包装用容器であって、複数の収納部からなる収納空間がそれぞれ複数列にわたって形成されており、これらのうちの少なくとも１列の収納空間に前記仕切部材が形成されている点にある。
【００１４】
このような構成を採用したことにより、包装用容器の形状や、物品の収納パターンを限定的なものとせず、種々の包装用容器の形状や収納パターンを可能とすることができる。
【００１５】
さらに、請求項４に記載の包装用容器の特徴は、請求項１乃至請求項３のいずれか１項に記載の包装用容器であって、前記各収納部には、収納された物品の有無を確認するための開放窓が形成されている点にある。
【００１６】
このような構成を採用したことにより、包装用容器を開封せずに、収納された物品の有無を確認することができる。
【００１７】
【発明の実施の形態】
以下、本発明の実施形態を図１乃至図７を参照して説明する。
【００１８】
図１は、本発明の第１実施形態の包装用容器１を示す斜視図であり、図２は、この図１の包装用容器１の組立前の状態（以下、ブランク２という）を示す平面図である。
【００１９】
本実施形態の包装用容器１は、直方体状に形成された物品の同形状のものを最大８個まで収納可能とする包装用容器１であり、最大８個の物品を収納する場合には、４個２列に整列配置した状態に収納するように構成されている。本実施形態においては、前記包装用容器１は厚手の段ボール部材により構成することとするが、その素材は段ボールに限らず、厚紙などであってもよい。
【００２０】
図２を参照してさらに詳しく説明すれば、本実施形態の包装用容器１のブランク２は側辺方向に４個、端辺方向に２列にして計８個の物品を整列配置可能な長方形状の底壁３を有しており、この底壁３の対向する側辺にはそれぞれ折曲線Ｌ１，Ｌ２を介して側壁４，５が連設されている。前記各側壁４，５は、包装用容器１に収納される物品の厚さ寸法とほぼ同寸法の幅を有するほぼ長方形状に形成されており、前記包装用容器１を形成したときに、両側壁４，５は前記折曲線Ｌ１，Ｌ２を介して前記底壁３に対してほぼ直角に上方に折り曲げられ、ほぼ平行に近い位置をとって相互に対向するようになっている。
【００２１】
また、前記底壁３の対向する端辺にも、それぞれ折曲線Ｌ３，Ｌ４を介して前記物品の厚さ寸法とほぼ同寸法の幅を有する長方形状に形成された端壁６，７が連設されており、この各端壁６，７も、包装用容器１を形成したときに、前記折曲線Ｌ３，Ｌ４を介して前記底壁３に対してほぼ９０゜に上方に折り曲げられ、ほぼ平行に近い位置をとって相互に対向するようになっている。各端壁６，７の前記底壁３側の端辺に対向する端辺には、それぞれ折曲線Ｌ５，Ｌ６を介して舌片８，９が形成されており、各舌片８，９の前記包装用容器１の端辺方向中央部には、舌片８，９の自由側端辺から各端壁６，７の前記底壁３側の端辺にまで至る切欠き１０，１１が形成されている。そして、各舌片８，９は、それぞれ前記折曲線Ｌ５，Ｌ６から約９０゜に内側に折り曲げられ、前記底壁３とほぼ平行に近い位置をとって対向するようになっている。
【００２２】
また、前記各側壁４，５の前記底壁３側の端辺に対向する端辺には、それぞれ折曲線Ｌ７，Ｌ８を介して頂壁１２，１３が連設されている。各頂壁１２，１３はそれぞれ前記底壁３の端辺方向長さのほぼ半分の幅寸法、つまり、各物品の縦配列方向の長さ寸法とされた略長方形状に形成されており、各頂壁１２，１３の前記側壁４，５側端辺と対向する端辺には、さらに折曲線Ｌ９，Ｌ１０を介して舌片１４，１５が形成されている。
【００２３】
これらの各頂壁１２，１３は、包装用容器１を形成したときに、前記折曲線Ｌ９，Ｌ１０から約９０゜に内側に折り曲げられ、前記底壁３とほぼ平行に近い位置をとって対向するようになっている。そして、前記各舌片１４，１５は、さらに、前記折曲線Ｌ９，Ｌ１０を介して約９０゜に下方に折り曲げられ、相互の上面同士を合せるようにして、前記端壁６，７に連設する舌片８，９に形成された切欠き１０，１１に嵌合するようになっている。
【００２４】
つまり、前記前記切欠き１０，１１を、頂壁１２，１３に連設された舌片１４，１５を嵌合させる嵌合部として機能させ、前記頂壁１２，１３は、包装用容器１の開閉可能な蓋として機能させる。このように構成することにより、開閉可能とされた各頂壁１２，１３がそれぞれ前記包装用容器１内に各物品を収納する４個の収納部（各収納部を図中Ａ〜Ｄに示す）からなる４個の物品を整列収納可能な収納空間Ｓ１，Ｓ２を形成することとなる。
【００２５】
なお、前記各舌片８，９，１４，１５の隅部には、それぞれ面取りが施されている。
【００２６】
また、本実施形態の包装用容器１においては、包装用容器１の一側壁４とこれに連設された頂壁１２には、この頂壁１２によりその上面を覆われて包装用容器１に収納されることとなる４個の物品のうち、一端側から２番目に配列される物品の配列位置を区切るための２本の切断線１６，１７が形成されている。以下、この切断線が形成された側壁４および頂壁１２を、便宜上、切断線形成頂壁１８という。
【００２７】
さらに詳しく説明すれば、前記切断線１６，１７のうち切断線形成頂壁１８の端部側に形成された切断線１６は、図２に示すように、前記切断線形成頂壁１８の一端辺から物品１個分の配列方向寸法（図中Ｘに示す）の位置に、前記底壁３と側壁４との間に形成された折曲線Ｌ１から前記側壁４および頂壁１２の連設方向に向かって垂直に前記側壁４の高さ寸法（図中Ｙに示す）の略２倍の長さ寸法（図中２Ｙに示す）だけ延在するようにして形成されている。また、他の１本の切断線１７は、前記１本目の切断線１６から、さらに物品１個分の配列方向寸法だけ内側の位置に、前記１本目の切断線１６と平行となるようにして、前記底壁３と側壁４との間に形成された折曲線Ｌ１から前記側壁４および頂壁１２の連設方向に向かって前記側壁４の高さ寸法の略２倍の長さ寸法だけ延在するようにして形成されている。
【００２８】
前記頂壁１２の２本の切断線１６，１７の端部間には折曲線Ｌ１１が形成されており、この折曲線Ｌ１１と、前記底壁３と側壁４との間に形成された折曲線Ｌ１と、前記２本の切断線１６，１７とに囲まれた部分は、各壁４，１２の一部をなす位置と、前記収納部Ｓ内に突出する位置とをそれぞれとりうるように相互に逆方向に折曲可能とされた仕切部材１９となされている。
【００２９】
なお、前記２本の切断線１６，１７は前記側壁４と前記底壁３および前記頂壁１２の少なくとも一方に形成されていればよい。また、本実施形態においては、前記２本の切断線１６，１７を、前記折曲線Ｌ１から頂壁１２方向に前記側壁４の高さ寸法の略２倍の長さ寸法だけ延在するように形成したが、この切断線１６，１７の長さ寸法は、側壁４の高さ寸法以上であれば、仕切部材１９として機能させることは可能である。また各切断線１６，１７を前記側壁４の高さ方向の中間位置を基点として延在するように形成することも可能である。
【００３０】
次に、本実施形態の包装用容器１をもって物品を包装する場合について、図３を参照して説明する。
【００３１】
本実施形態の包装用容器１は、前記ブランク２を折り畳み、前記仕切部材１９を各壁４，１２の一部をなす位置から収納空間Ｓ１の内側に折曲して突出させることにより、この収納空間Ｓ１の１つの収納部Ｂに仕切りを形成した包装用容器１となる。
【００３２】
つまり、前記仕切部材１９を、図２に示すように、前記折曲線Ｌ１１から約９０゜に収納空間Ｓ１の収納部Ｂ内に折り曲げると同時に、底壁３と側壁４との間に形成された折曲線Ｌ１から約１８０゜の角度で底壁３側に折り返すようにする。このとき、側壁４と頂壁１２との間に形成された折曲線Ｌ７部分は約９０゜に折り曲げられることとなる。このように、開閉自在とされた切断線形成頂壁１８を閉状態とすることにより、包装用容器１の収納空間Ｓ１内の１つの収納部Ｂに仕切部材１８を配設することができる。
【００３３】
なお、前記仕切部材１９の折曲角度は、その切断線１６，１７の長さ寸法等により異なったものとなるが、本実施形態においては、切断線１６，１７の長さ寸法を側壁４の高さ寸法Ｙの略２倍としたことにより、前述のように、折曲角を９０゜ずつとし、底壁３上に接触する部位を有する極めて安定した状態で収納部Ｂへ突出した仕切部材１９を形成することができる。
【００３４】
なお、この作業においては、折曲線Ｌ１，Ｌ２…を予め間歇的に切断部を形成した破線とすることで比較的容易に行うことができる。
【００３５】
このように形成された包装用容器１の切断線形成頂壁側１８の収納空間Ｓ１は、前記仕切部材１９の物品の配列方向の寸法を物品１個分の配列方向の寸法Ｘとしているため、前記仕切部材１９の左右に確実に物品１個分の１つの収納部Ａと、２個分の２つの収納部Ｃ，Ｄとを形成することができる。
【００３６】
そして、開閉可能とされた蓋として機能する頂壁１２を開にした状態で、仕切部材１９が一体形成された収納用容器１内に１個乃至７個の物品をそれぞれ移動を拘束した状態で収納することができる。
【００３７】
具体的には、１個の物品を収納する場合は、図３の収納空間Ｓ１内の物品１個分の収納部Ａに収納する。
【００３８】
また、２個の物品を収納する場合は、図３の収納空間Ｓ１内の物品２個分の２つの収納部Ｃ，Ｄにそれぞれ１個ずつ収納し、３個の物品を収納する場合は、前記収納部Ａ，Ｃ，Ｄにそれぞれに１個ずつ物品を収納する。
【００３９】
そして、４個の物品は、図３の切断線形成頂壁１８の他の頂壁１３側の収納空間Ｓ２に収納する。この他の頂壁１３側の収納空間Ｓ２には仕切部材１９を形成していないので、当初から物品４個分の４つの収納部Ｅ，Ｆ，Ｇ，Ｈが形成された収納空間Ｓ２となっているからである。勿論、前記仕切部材１９を形成する頂壁４および側壁１２を、その切断線形成頂壁１８の他の頂壁４および側壁１２と面一に位置させてから、この切断線形成頂壁１８側の収納空間Ｓ１内の収納部Ａ，Ｂ，Ｃ，Ｄにそれぞれ１個づつ、計４個の物品を収納してもよい。
【００４０】
５個以上の物品は、前記収納空間Ｓ２内に４個の物品を収納し、残数の物品を切断線形成頂壁１８側の収納空間Ｓ１内に収納するようにする。つまり、５個の物品を収納する場合は、収納空間Ｓ２内に４個、前記切断線形成頂壁１８側の収納空間Ｓ１内の収納部Ａに１個の物品を収納する。同様に、６個の物品を収納する場合は収納空間Ｓ２内に４個と収納空間Ｓ１内の収納部Ｃ，Ｄにそれぞれ１個ずつ、７個の物品を収納する場合は収納空間Ｓ２内に４個と収納空間Ｓ１内の収納部Ａ，Ｃ，Ｄにそれぞれ１個ずつ収納することとなる。
【００４１】
そして、８個の物品を収納する場合、前述のようにして前記仕切部材１９を形成する頂壁１２および側壁４を、その切断線形成頂壁１８を構成する頂壁１２および側壁４と面一に位置させて、収納空間Ｓ１，Ｓ２の各収納部Ａ〜Ｈに前記８個の物品を収納する。
【００４２】
そして、所望の数の物品の収納後に、開閉自在とされた２つの頂壁１２，１３の舌片１４，１５の上面同士を合せるようにして、前記端壁６，７に連設された舌片８，９に形成された切欠き１０，１１に嵌合させて閉状態とし、包装を完了させる。
【００４３】
なお、前述の包装作業では頂壁１２，１３を開状態として物品を収納部Ｓに収納するようにしたが、本実施形態の包装用容器１は、両端壁６，７も開閉自在とされているので、この端壁６，７を開状態とし、包装用容器１の端部側から物品を収納部Ｓに収納するようにすることも可能である。
【００４４】
このように、本実施形態の包装用容器１においては、前記包装用容器１の収納部を仕切る仕切部材１９を包装用容器１と一体に形成し、前記仕切部材１９を収納部Ｂ内に折曲させて位置させたり、または、前記仕切部材１９を各壁４，１２と面一に位置させたりすることで、収納する物品の個数に合わせた収納空間Ｓ１を形成することができる。
【００４５】
そして、収納された物品は、包装用容器１自体と前記仕切部材１９とによって、しっかりと保護され、移動を拘束されて配置されることとなるので、包装用容器１の空間部分にエアキャップ等の緩衝材を装填したり、仕切りを別設したりする作業を省略することができ、収納する物品の数に応じて異なる大きさの包装用容器１を用意する必要もない。さらには、緩衝材等のコストの削減も可能となり、包装用容器１の保管部や在庫管理等の問題も解消する。
【００４６】
また、図４は、本発明の第２実施形態を示しており、１０個の物品を５個２列に収納可能とする包装用容器１である。本実施形態の包装用容器１は、仕切部材１９の形成位置以外の主要部は前述の第１実施形態と同様であり、物品の配列方向寸法と同寸法とされた仕切部材１９を、側辺方向に並ぶ５個の物品の２番目と４番目の配列位置となる収納部内に突出するように形成した点で異なるものである。
【００４７】
このように、本発明の包装用容器１に一体形成される仕切部材１９は１個に限ることなく、必要に応じて必要な数だけ必要なところに配設すればよい。その場合にも、効果は前述の第１実施形態と同様のものが得られる。
【００４８】
なお、仕切部材１９を形成する側壁は一方の側壁に限ることなく、両側壁に１つずつの仕切部材１９を形成し、収納空間Ｓ１，Ｓ２内にそれぞれ仕切部材１９が形成される構成としてもよい。
【００４９】
また、図５は、本発明の第３実施形態を示しており、本実施形態の包装用容器２１は４個の物品を１列に収納可能とするものである。
【００５０】
本実施形態の包装用容器２１は、底壁２２、側壁２３、頂壁２４および側壁２５を順に折曲線Ｌ２１，Ｌ２２，Ｌ２３，Ｌ２４を介して連設し、無端状とした包装用容器１本体を有し、使用時において前記包装用容器１を角筒状に成型するとともに、前記底壁３の両端辺にそれぞれ舌片２６，２７を有する端壁２８，２９を折曲線Ｌ２５，Ｌ２６を介して連設し、開閉可能の蓋として機能させるように形成されている。前記舌片２６，２７は、前記頂壁２４の内面に沿うようにして包装用容器１の収納空間Ｓ内に折り込まれるようになされている。
【００５１】
そして、本実施形態の包装用容器１においても、前述の第１実施形態と同様に、一端側から２番目に配列される物品の配列位置となる収納空間Ｓ内の収納部Ｊに折曲可能な仕切部材３０が形成されている。
【００５２】
前記仕切部材３０は、側壁２３と底壁２２の一部とにより構成されており、本実施形態において仕切部材３０を構成する切断線３２，３３は、側壁の高さ寸法以上２倍寸法以下に形成されている。この場合、仕切部材３０を構成する側壁部分２３’を頂壁２４との間に形成された折曲線Ｌ２２から鋭角に収納部Ｊ内に折り曲げ、底壁２２側は、仕切部材３０を構成する底壁２２の一部２２’を底壁２２に形成された折曲線Ｌ２７部分から鋭角に収納部Ｊ内に折り曲げることにより、収納空間Ｓに突出する仕切部材３０を形成することができる。この仕切部材３０の折曲状態は、図６に示すようになる。
【００５３】
また、本実施形態の包装用容器１においては、頂壁２４には各収納部Ｉ，Ｊ，Ｋ，Ｌに対応させて１個づつの開放窓３１，３１…が穿設されており、収納空間Ｓに収納されている物品を外部から確認できるように構成されている。
【００５４】
このように構成された包装用容器１においても、その収納空間Ｓの収納部Ｊに前記仕切部材３０を折曲形成した場合には、前記仕切部材３０により物品１個分の１つの収納部Ｉと２個分の２つの収納部Ｋ，Ｌとに仕切り、収納された物品を収納空間Ｓ内において移動を拘束して配置させることが可能となる。また、前記仕切部材３０を構成する頂壁２４および側壁２５をそれぞれ包装用容器１本体の各壁２４，２５と面一に位置させることで、最大収納数量である４個の物品を収納空間Ｓに収納することが可能となる。
【００５５】
なお、本実施形態の包装用容器１の場合、包装用容器１本体は無端状とされており半成型品となっているが、１個から４個までの物品の収納を１つの包装用容器１をもって緩衝材等を必要とせずに収納することができる点等において、前述の実施形態と同様の効果を奏するものである。
【００５６】
また、図７には、図５の収納用容器２１の前記切断線３２，３３を側壁２３とこれに折曲線Ｌ２２およびＬ２１を介して連設する頂壁２４および底壁２２とに形成し、この切断線３２，３３の端部間に形成された折曲線Ｌ２７，Ｌ２８と前記切断線３２、３３とに囲まれた部分を仕切部材３４として構成し、収納空間Ｓ内に突出させるようにして配置した場合を第４実施形態として示している。このような仕切部材３４の構成であっても、前述の各実施形態の仕切部材１９，３０と同様の効果を奏することはいうまでもない。
【００５７】
本発明は前記実施形態のものに限定されるものではなく、必要に応じて種々変更することが可能である。例えば、第３実施形態の収納された物品を目視するための開放窓３１は前述の各実施形態の包装用容器１に形成可能であるし、その形成箇所も頂壁２４（１２，１３）に限らない。
【００５８】
【発明の効果】
以上述べたように本発明に係る包装用容器は、前記包装用容器の収納空間を仕切る仕切部材を包装用容器と一体に形成し、前記仕切部材を収納空間内の収納部に曲折して位置させたり、各壁と面一に位置させたりすることで、収納する物品の個数に合わせた収納空間を形成し、収納される物品を包装用容器自体と前記仕切部材とによってしっかりと保護し、移動を拘束して配置することが可能となる。
【００５９】
よって、緩衝材等を必要とせず、収納する物品の数に応じて異なる大きさの包装用容器を用意する必要もなくなるのでコストの削減も可能となり、包装用容器の保管スペースを小さいものとし、在庫管理を簡便にすることができる。
【００６０】
また、包装用容器の収納部に開放窓を形成することにより、収納されている物品を外部から目視することができ、包装作業を確実ならしめる等の効果を奏する。
【図面の簡単な説明】
【図１】  本発明の収納用容器の第１実施形態を示す斜視図
【図２】  図１の収納用容器の展開図
【図３】  収納する物品数に応じた収納部を示す説明図
【図４】  本発明の収納用容器の第２実施形態を示す斜視図
【図５】  本発明の収納用容器の第３実施形態を示す斜視図
【図６】  図５の６−６断面図
【図７】  本発明の収納用容器の第４実施形態における要部断面図
【符号の説明】
１  包装用容器
２  ブランク
３  底壁
４，５  側壁
６，７  端壁
８，９  （端壁に連設する）舌片
１０，１１  切欠き
１２，１３  頂壁
１４，１５  （頂壁に連設する）舌片
１６，１７  切断線
１８  切断線形成頂壁
１９  仕切部材
２１  包装用容器
２２  底壁
２３  側壁
２４  頂壁
２５  側壁
２６，２７  舌片
２８，２９  端壁
３０  仕切部材
３１  開放窓
３２，３３  切断線
３４  仕切部材
Ｌ１〜Ｌ１１，Ｌ２１〜Ｌ２８  折曲線
Ａ〜Ｌ  収納部
Ｓ  収納空間
【図１】
0003756310.tif 000002
【図２】
0003756310.tif 000003
【図３】
0003756310.tif 000004
【図４】
0003756310.tif 000005
【図５】
0003756310.tif 000006
【図６】
0003756310.tif 000007
【図７】
0003756310.tif 000008